(57)【要約】【課題】１つの場所から、Ｎ個の無線ネットワークコントローラのインターフェイス上におけるデータをリアルタイムに分散解析しトラブルシューティングする。【解決手段】本発明の方法は、複数の無線ネットワークコントローラ（ＲＮＣ）のインターフェイス上のデータを取得し、通話に基づく関連づけのために取得したデータを配信し、複数のＲＮＣのそれぞれに対応する取得データのすべてを表示する。データは、複数の分散ネットワークアナらザを介して、セルラーネットワーク内のＲＮＣの様々なインターフェイス上で取得される。ＲＮＣイベントは、各ＲＮＣのセル通話に従って取得データの中で、シグナリングアナライザの解析により識別される。各ＲＮＣのための取得データに対応するシグナリングアナライザからの識別イベントは、遠隔で解析され、複数のＲＮＣを跨って１つに集められる。集められたイベントは、ＲＮＣの監視が容易に素早く行えるようにユーザーインターフェイス上に表示される。【選択図】図１
2006094481.tif 000002
【特許請求の範囲】
【請求項１】
複数の分散ネットワークアナライザを介して、前記セルラーネットワーク内の複数の無線ネットワークコントローラのインターフェイスにおいてデータを取得する段階と、
シグナリングアナライザによる分析に基づいて、セル通話を処理したそれぞれの無線ネットワークコントローラごとに、前記セル通話に応じて、前記取得したデータの無線ネットワークコントローライベントを識別する段階と、
前記セル通話に応じて、前記シグナリングアナライザによって識別された前記イベントを１つに関連付ける段階と、
を有するセルラーネットワークを監視する方法。
【請求項２】
前記無線ネットワークコントローラインターフェイスは、前記無線ネットワークコントローラに関係するｌｕｂ、ｌｕｒ、及びｌｕデータを有している請求項１に記載の方法。
【請求項３】
前記取得されたデータは、リアルタイムで分析される請求項１に記載の方法。
【請求項４】
前記関連付けられたデータが、セルラーネットワークイベントを表しているかどうかを判定する段階と、
前記セルラーネットワークイベントに対応する前記通話を処理した前記無線ネットワークコントローラの中の１つを識別する段階と、
前記関連付けられたデータと、前記無線ネットワークコントローラの前記識別された１つと、を表示する段階と、
を更に有する請求項１から請求項３のいずれかに記載の方法。
【請求項５】
前記セルラーネットワークイベントに対応する前記無線ネットワークコントローラの中の前記識別された１つに対して、詳細データ要求を伝送する段階と、
前記詳細データ要求に応答して、前記無線ネットワークコントローラの中の前記１つに対応する前記分散ネットワークアナライザの選択された部分の前記取得データに基づいた前記１つの無線ネットワークコントローラに関する詳細なデータ報告を受信する段階と、
を更に有する請求項４に記載の方法。
【請求項６】
対応する第１の複数のノードＢを具備する第１無線ネットワークコントローラ及び対応する第２の複数のノードＢを具備する第２無線ネットワークコントローラと通信するコアネットワークを含むセルラーネットワークを監視する方法であって、
前記第１無線ネットワークコントローラと、前記第１の複数のノードＢの中の少なくとも１つのノードＢとの間において流れる第１データを取得する段階と、
前記第２無線ネットワークコントローラと、前記第２の複数のノードＢの中の少なくとも１つのノードＢとの間において流れる第２データを取得する段階と、
前記第１無線ネットワークコントローラと前記第２無線ネットワークコントローラとの間において流れる第３データを取得する段階と、
前記取得した第１、第２、及び第３データを通話に応じて関連付ける段階と、
前記関連付けられた第１、第２、及び第３データに基づいて前記第１及び第２無線ネットワークコントローラの状態を判定する段階と、
を有することを特徴とする方法。
【請求項７】
前記取得した第１及び第２データは、ｌｕｂデータを有し、前記取得した第３データは、ｌｕｒデータを有することを特徴とする請求項７に記載の方法。
【請求項８】
前記第１無線ネットワークコントローラと前記コアネットワークとの間において流れる第４データを取得する段階と、
前記第２無線ネットワークコントローラと前記コアネットワークとの間において流れる第５データを取得する段階と、
前記第４及び第５データを、前記第１、第２、及び第３データと１つに関連付ける段階と、
を更に有することを特徴とする請求項７または請求項８に記載の方法。
【請求項９】
前記状態を判定する段階は、
前記関連付けられたデータが、セルラーネットワークイベントを表しているかどうかを判定する段階と、
前記セルラーネットワークイベントに対応する通話を処理した前記第１無線ネットワークコントローラ及び前記第２無線ネットワークコントローラの中の１つを識別する段階と、
コントローラ報告をユーザーインターフェイス上に表示する段階と、
を有することを特徴とする請求項７から請求項９に記載の方法。
【請求項１０】
前記コントローラ報告は、前記関連付けられた第１、第２、及び第３取得データの要約を有していることを特徴とする請求項１０に記載の方法。
【請求項１１】
前記セルラーネットワークイベントに対応する通話を処理した前記１つの無線ネットワークコントローラに対して、詳細データ要求を伝送する段階と、
前記詳細データ要求に応答して、前記１つの無線ネットワークコントローラの詳細データ報告を受信する段階と、
を更に有することを特徴とする請求項１１に記載の方法。
【発明の詳細な説明】
【背景技術】
【０００１】
一般に、セルラー通信システムにおいては、所与の地理的エリアを複数のセルに分割し、このそれぞれのセルに対して、限定的な信号カバレージエリアを具備するノードＢ（これは、基地局とも呼ばれる）によってサービスしている。これらのノードＢは、高周波信号により、複数のユーザー装置と無線で通信する。そして、ノードＢは、無線アクセスネットワーク（Ｒａｄｉｏ  Ａｃｃｅｓｓ  Ｎｅｔｗｏｒｋ：ＲＡＮ）の一部を構成しており、このＲＡＮは、公衆回線電話網（Ｐｕｂｌｉｃ  Ｓｗｉｔｃｈｅｄ  Ｔｅｌｅｐｈｏｎｅ  Ｎｅｔｗｏｒｋ：ＰＳＴＮ）に接続された回線交換コアネットワーク、又はインターネットに接続されたパケット交換コアネットワークのいずれかに接続されている。
【０００２】
又、ＲＡＮには、複数の無線ネットワークコントローラ（Ｒａｄｉｏ  Ｎｅｔｗｏｒｋ  Ｃｏｎｔｒｏｌｌｅｒ：ＲＮＣ）も含まれており、これらは、ノードＢの交換局として機能する。ＲＮＣは、ノードＢのすべての無線高周波インターフェイスを管理しており、回線交換コアネットワーク又はパケット交換コアネットワークのいずれかと、通話（呼）と関連しているノードＢ間におけるハンドオフを制御する。電話中の携帯電話機などのユーザー装置が、第１セルと第２セル間で移動した場合に、ＲＮＣは、第１セルに対応する第１ノードＢと第２セルに対応する第２ノードＢ間におけるスイッチングを実行する（即ち、ハンドオフを実行する）。又、第１ノードＢと第２ノードＢが異なるＲＮＣに接続されている場合には、一方のＲＮＣが、もう一方のノードＢを管理しているセルラー通信システム内の別のＲＮＣに対して、その通話をルーティングする。このようなＲＮＣは、非常に複雑な処理を具備しており、問題が発生する可能性を有するセルラーシステム内における重要なポイントである。
【０００３】
従来、ＲＮＣの監視及びトラブルシューティングを実行するには、シグナリングデータをローカルに取得した後に、分析を行って、そのセルラーシステムのＲＮＣにおける問題をトラブルシューティングしている。しかしながら、ＲＮＣは、地理的に広く分散しているため、個々のＲＮＣをローカルに分析するのは、運搬もしくは移動または支援の面において、大きな問題である。又、ハンドオフが発生するため、１つの通話に関連するデータが、１つのＲＮＣのシグナリングデータにすべて含まれていない場合もある。
【発明の開示】
【発明が解決しようとする課題】
【０００４】
以上のような状況に鑑み、複数のＲＮＣの単一の場所からの監視を実現する方法に対するニーズが存在している。又、安定したトラブルシューティング能力を提供するべく、通話ごとに複数のＲＮＣの監視を実現するというニーズも存在している。
【課題を解決するための手段】
【０００５】
本発明の一態様によれば、ＵＭＴＳ（Ｕｎｉｖｅｒｓａｌ  Ｍｏｂｉｌｅ  Ｔｅｌｅｐｈｏｎｅ  Ｓｙｓｔｅｍ）内の複数の無線ネットワークコントローラ（ＲＮＣ）を監視及びトラブルシューティングする方法が提供される。
【０００６】
本発明の一態様によれば、複数の分散ネットワークアナライザを介して、セルラーネットワーク内の複数の無線ネットワークコントローラのインターフェイスにおいてデータを取得する段階と；シグナリングアナライザによる分析に基づいて、セル通話を処理するそれぞれの無線ネットワークコントローラごとに、セル通話に基づいて取得データの無線ネットワークコントローライベントを識別する段階と；セル通話に基づいてシグナリングアナライザによって識別されたイベントを１つに関連付ける段階と；これらの関連付けられたイベントを遠隔地において分析し、ユーザー端末上に表示する段階と；を含む方法が提供される。
【０００７】
本発明の一態様によれば、セルラーネットワークを監視する方法が提供され、このセルラーネットワークは、対応する第１の複数のノードＢを具備している第１無線ネットワークコントローラおよび対応する第２の複数のノードＢを具備している第２無線ネットワークコントローラと通信するコアネットワークを含んでおり、この方法は、第１無線ネットワークコントローラと第１の複数のノードＢの中の少なくとも１つのノードＢとの間において流れる第１データを取得する段階と；第２無線ネットワークコントローラと第２の複数のノードＢの中の少なくとも１つのノードＢとの間において流れる第２データを取得する段階と；第１無線ネットワークコントローラと第２無線ネットワークコントローラとの間において流れる第３データを取得する段階と；これらの取得した第１、第２、及び第３データを通話に基づいて関連付ける段階と；この関連付けられた第１、第２、及び第３データに基づいて第１及び第２無線ネットワークコントローラの状態を判定する段階と；を含んでいる。
【０００８】
本発明の別の態様によれば、第１セル通話の検出されたネットワークデータに対応する第１状態報告を伝送する段階（第１セル通話は、第１無線ネットワークコントローラと関連付けられており、状態報告は、第１無線ネットワークコントローラをセルラーネットワークに接続するパケットネットワーク接続上において伝送される）と、別の無線ネットワークコントローラに対応するセルラーネットワーク上において別のセル通話のその他のネットワークデータを検出する段階と；その他のセル通話のその他のネットワークデータに対応する第２状態報告を伝送する段階（第２状態報告は、その他の無線ネットワークコントローラをセルラーネットワークと接続するパケットネットワーク接続上において伝送される）と；ユーザーに対する、第１及びその他の無線ネットワークコントローラに対応する無線ネットワークコントローラ報告として、第１セル通話とその他のセル通話の第１状態報告と第２状態報告を関連付けて表示する段階と；により、セルラーネットワーク内の複数の無線ネットワークコントローラを監視する方法が提供される。
【０００９】
本発明の一態様においては、ユーザーは、監視対象のそれぞれの無線ネットワークコントローラの関連付けられたビューの総合的な状態報告を参照し、エラーが発生した際に、特定の無線ネットワークコントローラに対応する更に詳細なデータを要求することができる。
【発明を実施するための最良の形態】
【００１０】
本発明のこれら又はその他の態様と利点については、添付の図面との関連で、以下の実施例に関する説明を参照することによって、明らかとなり、容易に理解することができよう。
【００１１】
本節においては、本発明の現時点における実施例を詳細に参照するが、これらの例は、添付の図面に示されており、これらの図面においては、類似の参照符号によって類似の要素を示している。以下、これらの添付図面を参照し、これらの実施例について説明することにより、本発明について説明することとする。
【００１２】
図１は、本発明の実施例を採用したＵＭＴＳ（Ｕｎｉｖｅｒｓａｌ  Ｍｏｂｉｌｅ  Ｔｅｌｅｐｈｏｎｅ  Ｓｙｓｔｅｍ）を含む模範的なセルラー通信システムを示すブロックダイアグラムである。この図１においては、複数の無線ネットワークコントローラ（Ｒａｄｉｏ  Ｎｅｔｗｏｒｋ  Ｃｏｎｔｒｏｌｌｅｒ：ＲＮＣ）のインターフェイスのシグナリングデータとユーザーデータから構成されるネットワークデータの関連付けを行い、これを分析している。尚、シグナリングデータとは、ＵＭＴＳ１０８の機能に関係するデータの確立、制御、及び管理に関係する情報を意味しており、ユーザーデータとは、音声データ、グラフィカルデータ、又はテキストなどのユーザー装置１１６によって伝送される情報を意味している。
【００１３】
図１を参照すれば、第１外部ネットワーク１００は、公衆回線電話網（Ｐｕｂｌｉｃ  Ｓｗｉｔｃｈｅｄ  Ｔｅｌｅｐｈｏｎｅ  Ｎｅｔｗｏｒｋ：ＰＳＴＮ）である。そして、回線交換コアネットワーク１０４が、この第１外部ネットワーク１００とのデータ通信のスイッチングを提供している。一方、第２外部ネットワーク１０２は、インターネットなどのパケット交換ネットワークである。そして、パケット交換コアネットワーク１０６が、ＳＧＳＮ（Ｓｅｒｖｉｎｇ  Ｇｅｎｅｒａｌ  Ｐａｃｋｅｔ  Ｒａｄｉｏ  Ｓｅｒｖｉｃｅ  Ｎｏｄｅ）により、この第２外部ネットワーク１０２との通信のスイッチングを提供している。
【００１４】
これらの回線交換コアネットワーク１０４及びパケット交換コアネットワーク１０６は、いずれも、ｌｕインターフェイス（ｌｕ−ｃｓ及びｌｕ−ｐｓ）によって、ＵＭＴＳ１０８と個々に接続されている。一般に、これらのインターフェイスタイプは、いずれも、ＡＴＭ（Ａｓｙｎｃｈｒｏｎｏｕｓ  Ｔｒａｎｓｆｅｒ  Ｍｏｄｅ）技術に基づいており、コアネットワーク１０４及び１０６のそれぞれとＵＭＴＳ１０８間において、データセルとパケットを交換している。
【００１５】
ＵＭＴＳ１０８は、１つ又は複数の無線アクセスネットワーク（Ｒａｄｉｏ  Ａｃｃｅｓｓ  Ｎｅｔｗｏｒｋ：ＲＡＮ）１１０を有しており、これらのそれぞれは、ｌｕｂインターフェイスを介して複数のノードＢ１１４とインターフェイスしている無線ネットワークコントローラ（ＲＮＣ）１１２を具備している。ノードＢ１１４（これは、基地局とも呼ばれる）は、ＵＭＴＳ１０８の外部の（例えば、携帯電話機などの）ユーザー装置１１６に、無線インターフェイス又はリンクを提供している。即ち、それぞれのノードＢ１１４は、セルと呼ばれる特定の地理的領域内のユーザー装置１１６に無線カバレージを提供している。ＲＮＣ１１２は、ノードＢ１１４の無線インターフェイスを管理しており、ハンドオフを制御して、フォワード方向において、コアネットワーク１０４又は１０６のいずれかから１つ又は複数のノードＢ１１４に対してデータを送信すると共に、いくつかのノードＢ１１４の中から最良の信号を選択し、リバース方向において、コアネットワーク１０４及び１０６のいずれかに送信する。例えば、ユーザー装置１１６が、ノードＢ１１４に対応するセル間を移動しながら電話をかけようとすると、ＲＮＣは、ユーザー装置１１６と通話の起動元のノードＢ１１４との間における信号が閾値を下回った際に、隣接するノードＢ１１４に対して、その通信の応答を引き渡すことになる。ユーザー装置１１６が、第１ＲＮＣ１１２と関連付けられたノードＢ１１４がカバーしているセルを離れる際には、第１ＲＮＣ１１２は、ＵＭＴＳ内の別のＲＮＣ１１２に対して、ｌｕｒインターフェイスを介して、その通話を送る（ルーティングする）。尚、ＵＭＴＳ１０８は、図１の概略的な説明に限定されるものではないことを理解されたい。又、ＵＭＴＳ１０８は、セルラーネットワークのその他のコンポーネントやサービスを有することも可能であることを理解されたい。更には、以上においては、通話に関連して説明しているが、この通話は、音声データに限定されるものではなく、テキストやグラフィカルなデータ伝送をも含むことを理解されたい。
【００１６】
本発明の実施例の監視システム１０５は、ＵＭＴＳ１０８内のＲＮＣ１１２を監視している。即ち、ＲＮＣ１１２について、インターフェイスｌｕｂ、ｌｕｒ、及びｌｕのそれぞれを監視している。尚、このｌｕインターフェイスとは、一般に、ｌｕ−ｃｓ及びｌｕ−ｐｓインターフェイスのいずれか又は両方を意味している。そして、Ｎ個の監視システム１０５によって取得されたデータを、サーバーによって分析し、関連付けを行うことにより、Ｎ個のＲＮＣ１１２の中央場所からの同時監視を実現している。この同時監視により、通話がＲＮＣ１１２間で転送された場合にも、ＲＮＣ１１２の分析とトラブルシューティングを通話ごとに実行することができる。
【００１７】
図２は、本発明の実施例による無線ネットワークコントローラ（ＲＮＣ）と監視システムを示すブロックダイアグラムである。監視システム１０５は、分散ネットワークアナライザ（ＤＮＡ）２００、シグナリングアナライザ（ＳＡ）２０２、及びシグナリングアナライザサーバー（ＳＡＳ）２０４を有している。尚、本発明の実施例においては、この図２に示されているものと同一の構造を使用して、その他のＲＮＣ１１２をも同時に監視しているが、分かりやすくするべく、この図には、１つのＲＮＣのみが監視されているように示されている。そして、サーバー２０６が、Ｎ個のシグナリングアナライザサーバー２０４からのデータの関連付けを行い、その結果をユーザーインターフェイス２０６ｂ上に表示する。
【００１８】
分散ネットワークアナライザ２００は、データを取得するべく、ＲＮＣ１１２のインターフェイスｌｕｂ、ｌｕｒ、及びｌｕとそれぞれ接続されている。ノードＢ１１４の中の少なくとも１つとＲＮＣ１１２との間の少なくとも１つのｌｕｂインターフェイスと接続された分散ネットワークアナライザ２００が存在している。尚、必ずしもインターフェイスのすべてを常に監視する必要はなく、様々な構成が考えられることを理解されたい（例えば、それぞれのｌｕｂインターフェイス及びノードＢを監視したり、１つおきに監視したり、任意のＮ個のものを監視したりすることできる）。そして、ｌｕｂインターフェイスと同時にｌｕｒインターフェイスからデータを取得することにより、ＲＮＣ１１２間のソフトハンドオフを伴う通話のシグナリングデータを監視及び追跡することができる。取得するデータとしては、例えば、ネットワークの機能をセットアップ及び制御するべく通信ネットワークが使用するメッセージなどのネットワークシグナリングデータを含むシグナリングデータである。又、このシグナリングデータには、例えば、電話の発信や接続のセットアップなどのためのユーザーによるセッションの起動に関係する情報などのユーザーデータや、その他のアプリケーション又はユーザーと通信するべくアプリケーションが使用する情報などのアプリケーションシグナリングデータも含まれる。
【００１９】
分散ネットワークアナライザ２００は、例えば、Ａｇｉｌｅｎｔ（商標）Ｊ６８０１Ａ分散ネットワークアナライザであってよく、これは、シグナリングデータのリアルタイム抽出とシグナリングデータの配布に使用することができる。又、シグナリングデータの並行分析のために、Ｊ６８４０ＡなどのＡｇｉｌｅｎｔ（商標）ネットワークアナライザソフトウェアを使用することも可能である。この結果、通話との関連で、シグナリングデータを分析可能である。尚、Ａｇｉｌｅｎｔ（商標）製品を使用してネットワークアナライザ２００について説明しているが、本発明は、Ａｇｉｌｅｎｔ（商標）製品の使用に限定されるものではなく、その他の製品及び装置を利用して、通信インターフェイスからシグナリング及びユーザーデータを取得することも可能であることを理解されたい。
【００２０】
ネットワークアナライザ２００は、複数のシグナリングアナライザ２０２とインターフェイスしており、これらを使用することにより、時間の経過に伴って、特定のＲＮＣ１１２の様々なインターフェイスにおいて取得されたデータを分析している。例えば、第１シグナリングアナライザ２０２は、ＲＮＣ１１２のｌｕｒインターフェイスと接続された分散ネットワークアナライザ２００によって取得されたデータを分析し、第２シグナリングアナライザ２０２は、ＲＮＣ１１２のｌｕインターフェイスと接続された分散ネットワークアナライザ２００によって取得されたデータを分析している。これらのシグナリングアナライザ２０２は、例えば、エラー（例：通話の欠落や低ＱｏＳ（Ｑｕａｌｉｔｙ  ｏｆ  Ｓｅｒｖｉｃｅ））などの対象のイベントを表す既定の（シグナリング及びユーザー）データを検出する。これらのシグナリングアナライザ２０２は、Ｊ７３２６ＡリアルタイムシグナリングアナライザソフトウェアなどのＡｇｉｌｅｎｔ（商標）シグナリングアナライザソフトウェアが稼働するパーソナルコンピュータであってよい。これらのシグナリングアナライザは、分散ネットワークアナライザ２００のそれぞれのグループごとに、複数のインターフェイス通話／データセションの追跡、ハードウェアフィルタリング、及び記録済みメッセージの統計などの所望の特徴を調査することができる。そして、これらのシグナリングアナライザ２０２が、シグナリングデータを分析して、分散ネットワークアナライザによって取得されたインターフェイスについて報告するシグナリングデータにおいて、重要なセルラーネットワークイベント（例：エラー）を検出すると、その結果が、シグナリングアナライザサーバー２０４に対して伝送される。
【００２１】
監視対象のそれぞれのＲＮＣ１１２ごとに、１つのシグナリングアナライザサーバー（Ｓｉｇｎａｌｉｎｇ  Ａｎａｌｙｚｅｒ  Ｓｅｒｖｅｒ：ＳＡＳ）２０４が存在している。この結果、ＵＭＴＳ１０８内の複数のＲＮＣ１１２のインターフェイスを分析し、それぞれのＲＮＣ１１２において発生するイベントを関連付けるスケーラブルなシステムを実現することができる。ＳＡＳ２０４は、それぞれのシグナリングアナライザ２０２からの異なるデータの関連付けを実行し、この結果、データを取得したインターフェイスのそれぞれを、そのＲＮＣ１１２の通話ごとに、互いに関連付けることができる。例えば、セル間で移動中にユーザー装置１１６から通話を起動した場合には、起動元のＲＮＣ１１２は、別のＲＮＣ１１２に対するソフトハンドオフを実行する。この結果、起動元のｌｕｂインターフェイスと起動元のｌｕｒインターフェイスは、その通話に関係するシグナリングデータを、もう１つのＲＮＣ１１２に（そして、別のｌｕｂインターフェイスを通じて、ユーザー装置１１６に）伝送する。起動元のＲＮＣ１１２のＳＡＳ２０４ともう１つのＲＮＣ１１２の別のＳＡＳ２０４が、同一の通話のシグナリングデータの分析をそれぞれ実行するため、サーバー２０６により、複数のＲＮＣ１１２に跨る通話ごとに、シグナリングデータを関連付けることができる。尚、このサーバー２０６については、後程詳述するが、それぞれのＳＡＳ２０４が、既定の重要なイベントの状態報告をサーバー２０６に伝送し、このサーバーが、監視対象のＲＮＣ１１２に対応するＵＭＴＳ１０８内のそれぞれのＳＡＳ２０４からのすべての状態報告の関連付けに基づいて、結果を生成する。次いで、このサーバー２０６は、この結果をユーザーインターフェイス２０６ｂ上に表示する。それぞれのＳＡＳ２０４からサーバー２０６への伝送は、ＲＮＣ１１２が使用している同一のＵＭＴＳ１０８インターフェイス上において容易に実現可能である。例えば、それぞれの監視システム１０５内のそれぞれのＳＡＳ２０４は、このＳＡＳ２０４によって１つに接続されているそれぞれのシグナリングアナライザ２０２が認知した重要なイベントの状態報告を、遠隔地に位置するサーバー２０６に対して、ｌｕインターフェイスを介して伝送する。
【００２２】
サーバー２０６は、それぞれの監視システム１０５内のそれぞれのＳＡＳ２０４から報告されるすべての監視対象のＲＮＣ１１２のイベントを分析して関連付けるべく動作するネットワークトラブルシューティングセンタ（Ｎｅｔｗｏｒｋ  Ｔｒｏｕｂｌｅｓｈｏｏｔｉｎｇ  Ｃｅｎｔｅｒ：ＮＴＣ）であってよい。例えば、このそれぞれのＳＡＳ２０４と通信するサーバー２０６により、ユーザーは、単一の場所から、ＵＭＴＳ１０８内のＮ個のＲＮＣ１１２の状態を参照することができる。この場所は、中央交換局であってもよく、或いは、ＵＭＴＳ１０８内のなんらかの便利な場所であってもよい。そして、このＮＴＣは、例えば、Ａｇｉｌｅｎｔ（商標）社のＮＴＣ、モデル番号Ｊ６７８１ＡおよびＪ６８０１Ａなどの既存の装置である。このサーバー２０６は、複数のＲＮＣ１１２に対応する複数のシグナリングアナライザサーバー２０４からの関連付け及び分析済みのイベントを、コントローラ報告として、なんらかのユーザーインターフェイス２０６ｂ上に表示する。このユーザーインターフェイス２０６ｂは、この関連付け及び分析済みのイベントを、グラフィカルユーザーインターフェイス（Ｇｒａｐｈｉｃａｌ  Ｕｓｅｒ  Ｉｎｔｅｒｆａｃｅ：ＧＵＩ）などの簡単な視覚的表示により、ＲＮＣ１１２の健康状態を示すコントローラ報告として表示する。ＲＮＣの状態を迅速に認識するべく、このＧＵＩを色分けすることも可能である。或いは、この代わりに、この表示は、ＵＭＴＳ１０８内のＲＮＣ１１２の状態に関するテキストやその他のタイプのグラフィカルなインジケータであってもよい。すべてのシグナリングアナライザサーバー２０４からの関連付け済みのイベントが表示されたら、ユーザーは、それらのイベントを参照することができる。そして、更なる情報を所望する場合には、ユーザーは、特定のＲＮＣ１１２のＳＡＳ２０４によって記録されたシグナリングデータ又はユーザーデータの更に詳細なデータ報告に関して、特定のＳＡＳ２０４に対して詳細データ要求を伝達することにより、それらのシグナリングデータ又はユーザーデータを追跡したり、更に掘り下げたりすることができる。この掘り下げのレベルは、ＲＮＣ１１２のそれぞれのインターフェイスに位置する分散ネットワークアナライザ２００にまで遡ることが可能である。
【００２３】
図３は、複数の無線ネットワークコントローラ（ＲＮＣ）１１２のインターフェイスにおいてデータを取得し、この取得したデータを通話ごとに関連付けるべく配布して、複数のＲＮＣ１１２のそれぞれに対応する取得データのすべてを関連付けして表示する方法の実施例を示している。まず、段階３０２において、複数の分散ネットワークアナライザ２００を介して、ＵＭＴＳ１０８内の複数の無線ネットワークコントローラの様々なインターフェイスにおいてデータを取得する。そして、この取得したデータの無線ネットワークコントローラ１１２のイベントを、シグナリングアナライザ２０２による分析に基づいて、セル通話を処理したそれぞれの無線ネットワークコントローラごとに、セル通話に基づいて識別する。次いで、サーバー２０６により、セル通話とそれぞれの無線ネットワークコントローラに応じて、それぞれのＲＮＣ１１２ごとに、取得データに対応するそれぞれのシグナリングアナライザ２０２からの識別済みのイベントを１つに関連付ける。次いで、この関連付けられたイベントをユーザーインターフェイス２０６ｂ上に表示することにより、複数のＲＮＣ１１２の同時監視を実現する。この結果、本発明の方法によれば、複数のＲＮＣのインターフェイス上のデータの単一の場所からのリアルタイム分散分析を実現することができる。
【００２４】
従って、一実施例によれば、第１セル通話の検出されたネットワークデータに対応する第１状態報告を伝送する段階（この第１セル通話は、第１無線ネットワークコントローラと関連付けられており、この状態報告は、第１無線ネットワークコントローラをセルラーネットワークと接続しているパケットネットワーク接続（ｌｕ）上において伝送される）と；別の無線ネットワークコントローラに対応するセルラーネットワーク上の別のセル通話のその他のネットワークデータを検出する段階と；その他のセル通話のその他のネットワークデータに対応する第２の状態報告を伝送する段階（この第２の状態報告は、その他の無線ネットワークコントローラをセルラーネットワークと接続するパケットネットワーク接続（ｌｕ）上において伝送される）と；無線ネットワークコントローラ報告として、第１セル通話及びその他のセル通話の第１状態報告及び第２状態報告を関連付けて、ユーザーに対して表示する段階と；により、セルラーネットワーク（ＵＭＴＳ１０８）内の複数の無線ネットワークコントローラ１１２を監視する方法が提供される。この場合に、ユーザーは、第１及びその他のセル通話の更に詳細なデータに関し、詳細データ要求を無線ネットワークコントローラの中の１つに対して伝送可能である。この方法によれば、ユーザーは、複数のＲＮＣを同時に参照して、セルラーネットワークの性能について（特に、単一のセル通話において、ソフトハンドオフを通じて複数のＲＮＣが関係している場合の性能について）、十分に理解することができる。
【００２５】
又、本発明によれば、セルラーネットワークを監視する方法も提供され、このセルラーネットワークは、第１無線ネットワークコントローラと、第１無線ネットワークコントローラに対応する第１の複数のノードＢと、第２無線ネットワークコントローラと、第２ネットワークコントローラに対応する第２の複数のノードＢと、を含んでいる。そして、第１無線ネットワークコントローラと、第１の複数のノードＢの中のそれぞれのノードＢと間において流れるデータを取得すると共に、第２無線ネットワークコントローラと、第２の複数のノードＢの中のそれぞれのノードＢと間において流れるデータについても同様に取得する。又、シグナリングの更に完全な全体像を提示するべく、第１無線ネットワークコントローラと第２無線ネットワークコントローラと間において流れるデータを取得する（この処理は、無線アクセスネットワークレベルにおいて実行される）。尚、以上においては、２つの無線ネットワークコントローラのみについて説明しているが、任意のＮ個の無線ネットワークコントローラを同様に監視可能である。そして、この取得したデータを、サーバーにより、通話に応じて関連付けし、この関連付けられた取得データに基づいて第１及び第２無線ネットワークコントローラの状態を判定できるように、この関連付けられたデータの報告を生成する。この結果、セルラーネットワーク内の複数の無線ネットワークコントローラのシグナリングデータのビューが提供され、良好なトラブルシューティングが可能になる。そして、複数の無線ネットワークコントローラのシグナリングデータに関する報告を同時に参照することにより、そのセルラーネットワーク内において発生するエラーを迅速且つ容易に識別することができる。
【００２６】
以上、本発明のいくつかの実施例について、図示及び説明したが、当業者であれば、本発明の原理と精神を逸脱することなしに、これらの実施例に変更を加えることが可能であることを理解するであろう。本発明の範囲は、添付の請求項及びその等価物に定義されているとおりである。念のため、以下に本発明の実施の形態を列挙する。
【００２７】
（実施態様１）
複数の分散ネットワークアナライザ（２００）を介して、前記セルラーネットワーク内の複数の無線ネットワークコントローラ（１１２）のインターフェイスにおいてデータを取得する段階と、
シグナリングアナライザによる分析に基づいて、セル通話を処理したそれぞれの無線ネットワークコントローラごとに、前記セル通話に応じて、前記取得したデータの無線ネットワークコントローライベントを識別する段階（３０４）と、
前記セル通話に応じて、前記シグナリングアナライザによって識別された前記イベントを１つに関連付ける段階（３０６）と、
を有するセルラーネットワークを監視する方法。
（実施態様２）
前記無線ネットワークコントローラインターフェイスは、前記無線ネットワークコントローラ（１１２）に関係するｌｕｂ、ｌｕｒ、及びｌｕデータを有している実施態様１に記載の方法。
（実施態様３）
前記取得されたデータは、リアルタイムで分析される実施態様１に記載の方法。
（実施態様４）
前記関連付けられたデータが、セルラーネットワークイベントを表しているかどうかを判定する段階と、
前記セルラーネットワークイベントに対応する前記通話を処理した前記無線ネットワークコントローラ（１１２）の中の１つを識別する段階と、
前記関連付けられたデータと、前記無線ネットワークコントローラの前記識別された１つと、を表示する段階（３０８）と、
を更に有する実施態様１から実施態様３のいずれかに記載の方法。
（実施態様５）
前記セルラーネットワークイベントに対応する前記無線ネットワークコントローラ（１１２）の中の前記識別された１つに対して、詳細データ要求を伝送する段階と、
前記詳細データ要求に応答して、前記無線ネットワークコントローラ（１１２）の中の前記１つに対応する前記分散ネットワークアナライザ（２００）の選択された部分の前記取得データに基づいた前記１つの無線ネットワークコントローラ（１１２）に関する詳細なデータ報告を受信する段階と、
を更に有する実施態様４に記載の方法。
（実施態様６）
対応する第１の複数のノードＢ（１１４）を具備する第１無線ネットワークコントローラ（１１２）及び対応する第２の複数のノードＢ（１１４）を具備する第２無線ネットワークコントローラ（１１２）と通信するコアネットワーク（１０４、１０６）を含むセルラーネットワークを監視する方法であって、
前記第１無線ネットワークコントローラ（１１２）と、前記第１の複数のノードＢ（１１４）の中の少なくとも１つのノードＢとの間において流れる第１データを取得する段階と、
前記第２無線ネットワークコントローラ（１１２）と、前記第２の複数のノードＢ（１１４）の中の少なくとも１つのノードＢとの間において流れる第２データを取得する段階と、
前記第１無線ネットワークコントローラと前記第２無線ネットワークコントローラとの間において流れる第３データを取得する段階と、
前記取得した第１、第２、及び第３データを通話に応じて関連付ける段階と、
前記関連付けられた第１、第２、及び第３データに基づいて前記第１及び第２無線ネットワークコントローラ（１１２）の状態を判定する段階と、
を有することを特徴とする方法。
（実施態様８）
前記取得した第１及び第２データは、ｌｕｂデータを有し、前記取得した第３データは、ｌｕｒデータを有することを特徴とする実施態様７に記載の方法。
（実施態様９）
前記第１無線ネットワークコントローラ（１１２）と前記コアネットワーク（１０４、１０６）との間において流れる第４データを取得する段階と、
前記第２無線ネットワークコントローラ（１１２）と前記コアネットワーク（１０４、１０６）との間において流れる第５データを取得する段階と、
前記第４及び第５データを、前記第１、第２、及び第３データと１つに関連付ける段階と、
を更に有することを特徴とする実施態様７または実施態様８に記載の方法。
（実施態様１０）
前記状態を判定する段階は、
前記関連付けられたデータが、セルラーネットワークイベントを表しているかどうかを判定する段階と、
前記セルラーネットワークイベントに対応する通話を処理した前記第１無線ネットワークコントローラ（１１２）及び前記第２無線ネットワークコントローラ（１１２）の中の１つを識別する段階と、
コントローラ報告をユーザーインターフェイス（２０６ｂ）上に表示する段階と、
を有することを特徴とする実施態様７から実施態様９に記載の方法。
（実施態様１１）
前記コントローラ報告は、前記関連付けられた第１、第２、及び第３取得データの要約を有していることを特徴とする実施態様１０に記載の方法。
（実施態様１２）
前記セルラーネットワークイベントに対応する通話を処理した前記１つの無線ネットワークコントローラ（１１２）に対して、詳細データ要求を伝送する段階と、
前記詳細データ要求に応答して、前記１つの無線ネットワークコントローラ（１１２）の詳細データ報告を受信する段階と、
を更に有することを特徴とする実施態様１１に記載の方法。
【図面の簡単な説明】
【００２８】
【図１】本発明の実施例を採用するＵＭＴＳを示すブロックダイアグラムである。
【図２】本発明の実施例による無線ネットワークコントローラ（ＲＮＣ）と監視システムを示すブロックダイアグラムである。
【図３】本発明の実施例による複数のＲＮＣを遠隔地から監視するプロセスを示すフローチャートである。
【符号の説明】
【００２９】
１０４、１０６  コアネットワーク
１１２  無線ネットワークコントローラ
１１４  ノードＢ
２００  分散ネットワークアナライザ
２０６ｂ  ユーザーインターフェイス
【図１】
2006094481.tif 000003
【図２】
2006094481.tif 000004
【図３】
2006094481.tif 000005